(57)【特許請求の範囲】
【請求項１】
ＤＩＣＯＭデータ形式の医用検査画像に基づいて解析結果報告書を作成する装置であって、
ＤＩＣＯＭデータ形式の医用検査画像を取得する医用検査画像取得手段と、
解析結果報告書の書式中の検査情報項目のうち、患者氏名、患者ＩＤ、患者年齢、患者性別、検査日または検査時刻に、前記取得したＤＩＣＯＭ形式の医用検査画像のＤＩＣＯＭヘッダから対応する検査情報を取得して組み込む第１の検査情報組込手段と、
前記第１の検査情報組込手段によって検査情報が組み込まれていない検査情報項目について、前記取得したＤＩＣＯＭ形式の医用検査画像以外の既に生成されているデータから検査情報を取得して組み込む第２の検査情報組込手段と、
を備えた解析結果報告書作成装置において、
前記取得したＤＩＣＯＭ形式の医用検査画像以外の既に生成されているデータは、カルテデータを含むことを特徴とする解析結果報告書作成装置。
【請求項２】
請求項１の解析結果報告書作成装置において、
前記第２の検査情報組込手段は、前記取得したＤＩＣＯＭ形式の医用検査画像以外の既に生成されているデータから検査情報を取得して組み込むことに加えて、操作者の操作に基づいて入力された検査情報を組み込むことを特徴とする解析結果報告書作成装置。
【請求項３】
請求項１または２の解析結果報告書作成装置において、
前記医用検査画像に基づいて、解析結果報告書のための報告画像を生成する報告画像生成手段と、
操作者の操作に基づいて、もしくは、予め対応づけられた規則に従って、解析結果報告書の書式中の画像領域に、前記生成された報告画像を組み込む報告画像組込手段と、
をさらに備えることを特徴とする解析結果報告書作成装置。
【請求項４】
ＤＩＣＯＭデータ形式の医用検査画像に基づいて解析結果報告書を作成する装置をコンピュータによって実現するためのプログラムであって、コンピュータを、
ＤＩＣＯＭデータ形式の医用検査画像を取得する医用検査画像取得手段と、
解析結果報告書の書式中の検査情報項目のうち、患者氏名、患者ＩＤ、患者年齢、患者性別、検査日または検査時刻に、前記取得したＤＩＣＯＭ形式の医用検査画像のＤＩＣＯＭヘッダから対応する検査情報を取得して組み込む第１の検査情報組込手段と、
前記第１の検査情報組込手段によって検査情報が組み込まれていない検査情報項目について、前記取得したＤＩＣＯＭ形式の医用検査画像以外の既に生成されているデータから検査情報を取得して組み込む第２の検査情報組込手段として機能させるための解析結果報告書作成プログラムにおいて、
前記取得したＤＩＣＯＭ形式の医用検査画像以外の既に生成されているデータは、カルテデータを含むことを特徴とする解析結果報告書作成プログラム。
【請求項５】
請求項４の解析結果報告書作成プログラムにおいて、
前記第２の検査情報組込手段は、前記取得したＤＩＣＯＭ形式の医用検査画像以外の既に生成されているデータから検査情報を取得して組み込むことに加えて、操作者の操作に基づいて入力された検査情報を組み込むことを特徴とする解析結果報告書作成プログラム。
【請求項６】
請求項４または５に係る解析結果報告書作成プログラムにおいて、コンピュータを、さらに、
前記医用検査画像に基づいて、解析結果報告書のための報告画像を生成する報告画像生成手段と、
操作者の操作に基づいて、もしくは、予め対応づけられた規則に従って、解析結果報告書の書式中の画像領域に、前記生成された報告画像を組み込む報告画像組込手段として機能させるための解析結果報告書作成プログラム。
【請求項７】
ＤＩＣＯＭデータ形式の医用検査画像に基づいて解析結果報告書を作成するサーバ装置であって、
ＤＩＣＯＭデータ形式の医用検査画像を端末装置から取得する医用検査画像取得手段と、
解析結果報告書の書式中の検査情報項目のうち、患者氏名、患者ＩＤ、患者年齢、患者性別、検査日または検査時刻に、前記取得したＤＩＣＯＭ形式の医用検査画像のＤＩＣＯＭヘッダから対応する検査情報を取得して組み込む第１の検査情報組込手段と、
組込手段によって検査情報が組み込まれていない検査情報項目について、前記取得したＤＩＣＯＭ形式の医用検査画像以外の既に生成されているデータから検査情報を取得して組み込む第２の検査情報組込手段と、
生成された解析結果報告書を出力する出力手段と、
を備えた解析結果報告書作成サーバ装置において、
前記取得したＤＩＣＯＭ形式の医用検査画像以外の既に生成されているデータは、カルテデータを含むことを特徴とする解析結果報告書作成サーバ装置。
【請求項８】
請求項７の解析結果報告書作成サーバ装置において、
前記第２の検査情報組込手段は、前記取得したＤＩＣＯＭ形式の医用検査画像以外の既に生成されているデータから検査情報を取得して組み込むことに加えて、操作者の操作に基づいて入力された検査情報を組み込むことを特徴とする解析結果報告書作成サーバ装置。
【請求項９】
請求項７または８のサーバ装置において、
前記医用検査画像に基づいて、解析結果報告書のための報告画像を生成する報告画像生成手段と、
端末装置の操作者の操作に基づいて、もしくは、予め対応づけられた規則に従って、解析結果報告書の書式中の画像領域に、前記生成された報告画像を組み込む報告画像組込手段と、
をさらに備えることを特徴とする解析結果報告書作成サーバ装置。
【請求項１０】
請求項１〜９のいずれかの装置またはプログラムにおいて、
前記第１の検査情報組込手段は、ＤＩＣＯＭ規格にしたがって、対応する検査情報をＤＩＣＯＭヘッダから取得することを特徴とする装置またはプログラム。
【請求項１１】
請求項１〜１０のいずれかの装置またはプログラムにおいて、
前記第１の検査情報組込手段は、プライベートタグとして定めた定義にしたがって、対応する検査情報をＤＩＣＯＭヘッダから取得することを特徴とする装置またはプログラム。
【請求項１２】
請求項１〜１１のいずれかの装置またはプログラムにおいて、
前記医用検査画像は、心臓、脳、骨、肝臓、肺または甲状腺の医用画像であることを特徴とする装置またはプログラム。
【請求項１３】
コンピュータによって解析結果報告書を作成する方法であって、
コンピュータが、ヘッダ情報の付された医用検査画像を取得し、
コンピュータが、解析結果報告書の書式中の検査情報項目のうち、患者氏名、患者ＩＤ、患者年齢、患者性別、検査日または検査時刻に、前記取得した医用検査画像のヘッダから対応する検査情報を取得して組み込み、
コンピュータが、前記組み込みによって検査情報が組み込まれていない検査情報項目について、前記取得した医用検査画像以外のデータから検査情報を取得して組み込むことを備えた解析結果報告書作成方法において、
前記取得したＤＩＣＯＭ形式の医用検査画像以外のデータは、記録されているカルテデータを含むことを特徴とする解析結果報告書作成方法。
【請求項１４】
請求項１３の解析結果報告書作成方法において、
前記取得した医用検査画像以外のデータから検査情報を取得して組み込むことに代えて、あるいはこれに加えて、操作者の操作に基づいて入力された検査情報を組み込むことを特徴とする解析結果報告書作成サーバ装置。
【発明の詳細な説明】
【技術分野】
【０００１】
この発明は、医用画像データに基づいて、解析結果報告書を作成する技術に関するものである。
【背景技術】
【０００２】
ＳＰＥＣＴ、ＰＥＴ、ＭＲＩ、ＣＴ等を用いた画像診断は、病態を客観的にとらえることができるため、医療現場において広く用いられている。画像診断においては、これらの画像を利用するための報告書が作成される。報告書には、当該画像だけでなく、患者を識別したり、検査の条件を明らかにしたりするための情報（検査情報）が記載される。報告書作成担当者の経験が浅い等、その能力が十分でない場合には、検査情報として必要な情報が記載されないことがある。
【０００３】
このような個人差をなくして一定レベルの報告書を作成できる装置が求められている。
【０００４】
特許文献１には、予め患者情報等を格納したＤＢや検査の背景情報を格納したＤＢを作成し、上記ＳＰＥＣＴなどの画像を記録する際、この患者情報等と対応付けて格納したＤＢを作成するようにしている。その上で、報告書作成時に、これら患者情報や背景情報等を、定型の報告書書式にはめ込んで、報告書を完成させるようにしている。
【０００５】
したがって、特許文献１の装置によれば、報告書に必要な患者情報や背景情報が書式として定められており、作成者によらない一定レベルの報告書を作成することができる。
【先行技術文献】
【特許文献】
【０００６】
【特許文献１】特許５２８８６５５号公報
【発明の概要】
【発明が解決しようとする課題】
【０００７】
しかしながら、上記のような従来技術には、次のような問題点があった。
【０００８】
上記従来技術では、予め患者情報ＤＢや背景情報ＤＢを作成した上で、これら情報に紐付けて画像を格納したＤＢを作成する必要がある。このため、これらＤＢを別途生成する必要があり、作業が繁雑なだけでなく、患者情報や背景情報等の入力ミスを生じる可能性もあった。かかる入力ミスがあれば、誤った報告書が作成されてしまうことになるという問題があった。
【０００９】
この発明は、上記のような従来の問題点を解決して、作業の煩雑さを低減して、しかも入力ミスによる誤った報告書作成を低減できる装置を提供することを目的とする。
【課題を解決するための手段】
【００１０】
この発明の独立して適用可能ないくつかの特徴を以下に列挙する。
【００１１】
(1)(3)(5)この発明に係る解析結果報告書作成装置は、ＤＩＣＯＭデータ形式の医用検査画像を取得する医用検査画像取得手段と、解析結果報告書の書式中の検査情報項目に、前記取得したＤＩＣＯＭ形式の医用検査画像のＤＩＣＯＭヘッダから対応する検査情報を取得して組み込む第１の検査情報組込手段と、前記第１の検査情報組込手段によって検査情報が組み込まれていない検査情報項目について、前記取得したＤＩＣＯＭ形式の医用検査画像以外のデータもしくは操作者の操作に基づいて、検査情報を取得して組み込む第２の検査情報組込手段とを備えている。
【００１２】
したがって、作業の煩雑さを低減して、しかも入力ミスによる誤った報告書作成を低減することができる。
【００１３】
(2)(4)(6)この発明に係る解析結果報告書作成装置は、医用検査画像に基づいて、解析結果報告書のための報告画像を生成する報告画像生成手段と、操作者の操作に基づいて、もしくは、予め対応づけられた規則に従って、解析結果報告書の書式中の画像領域に、前記生成された報告画像を組み込む報告画像組込手段とを備えている。
【００１４】
したがって、報告画像を組み込んだ報告書を生成することができる。
【００１５】
(7)この発明に係る解析結果報告書作成装置は、第１の検査情報組込手段が、ＤＩＣＯＭ規格にしたがって、対応する検査情報をＤＩＣＯＭヘッダから取得することを特徴としている。
【００１６】
したがって、検査情報を容易に取得して組み込むことができる。
【００１７】
(8)この発明に係る解析結果報告書作成装置は、第１の検査情報組込手段が、プライベートタグとして定めた規則にしたがって、対応する検査情報をＤＩＣＯＭヘッダから取得することを特徴としている。
【００１８】
したがって、ＤＩＣＯＭ規格にはない検査情報も容易に組み込むことができる。
【００１９】
(9)この発明に係る解析結果報告書作成装置は、医用検査画像が、脳または心臓の断層画像であることを特徴としている。
【００２０】
したがって、これら断層画像に基づく報告書を容易に作成することができる。
【００２１】
(10)この発明に係る解析結果報告書作成方法は、コンピュータによって解析結果報告書を作成する方法であって、コンピュータが、ヘッダ情報の付された医用検査画像を取得し、コンピュータが、解析結果報告書の書式中の検査情報項目に、前記取得した医用検査画像のヘッダから対応する検査情報を取得して組み込み、コンピュータが、前記組込ステップによって検査情報が組み込まれていない検査情報項目について、前記取得した医用検査画像以外のデータもしくは操作者の操作に基づいて、検査情報を取得して組み込むことを備えている。
【００２２】
したがって、作業の煩雑さを低減して、しかも入力ミスによる誤った報告書作成を低減することができる。
【００２３】
「医用検査画像取得手段」は、実施形態においては、ステップＳ１がこれに対応する。
【００２４】
「報告画像生成手段」は、実施形態においては、ステップＳ６がこれに対応する。
【００２５】
「報告画像組込手段」は、実施形態においては、ステップＳ１０がこれに対応する。
【００２６】
「第１の検査情報組込手段」は、実施形態においては、ステップＳ１０がこれに対応する。
【００２７】
「第２の検査情報組込手段」は、実施形態においては、ステップＳ５、Ｓ１１がこれに対応する。
【００２８】
「検査情報」とは、解析結果報告書に記載する検査に関連した情報をいい、患者情報、検査者、検査条件などを含む概念である。
【００２９】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３０】
【図１】この発明の一実施形態による解析結果報告書作成装置の機能ブロック図である。
【図２】解析結果報告書作成装置のハードウエア構成である。
【図３】解析結果報告書作成プログラムのフローチャートである。
【図４】解析結果報告書作成プログラムのフローチャートである。
【図５】ＤＩＣＯＭヘッダの例である。
【図６】ＤＩＣＯＭデータの例である。
【図７】ＤＩＣＯＭデータから検査情報を取得した画面を示す図である。
【図８】操作者が入力した検査情報を表示した画面を示す図である。
【図９】Polar Mapの表示原理を示す図である。
【図１０】Polar Mapを表示した画面例である。
【図１１】解析画像（報告画像）を表示した画面例である。
【図１２】解析結果報告書の書式を示す図である。
【図１３】解析結果報告書の書式データである。
【図１４】解析結果報告書の書式に解析画像などを組み込んだ画面例である。
【図１５】操作者が入力した検査情報を追加して組み込んだ画面例である。
【図１６】解析結果報告書データの例である。
【図１７】他の実施形態による全体構成である。
【発明を実施するための形態】
【００３１】
１．機能ブロック図
図１に、この発明の一実施形態による解析結果報告書作成装置の機能ブロック図を示す。医用検査画像取得手段２は、医用検査画像であるＤＩＣＯＭデータを取り込み、記録部１０に医用検査画像１２として記録する。報告画像組込手段４は、記録部１０から解析結果報告書書式１４を読み出し、これに医用検査画像に基づいて生成した報告画像を組み込む。この組み込みは、操作者の指示に基づいて行ってもよいし、予め定められた規則にしたがって行ってもよい。
【００３２】
第１の検査情報組込手段６は、解析結果報告書書式１４の検査情報項目（患者情報や検査条件情報などの項目）に、医用検査画像１２のＤＩＣＯＭヘッダから対応する検査情報を取得して組み込む。このように、検査の際に医用検査画像１２に設定された検査情報を、そのまま用いるので、入力ミスを防ぐことができ、煩雑さを解消することができる。
【００３３】
第２の検査情報組込手段８は、第１の検査情報組込手段６によって検査情報が組み込まれていない項目について、検査情報の組み込みを行う。この組み込みは、操作者の入力によってもよいし、他のデータ（カルテデータなど）から取得してはめ込むようにしてもよい。
【００３４】
出力手段１６は、上記のようにして生成された解析結果報告書を、出力する。たとえば、プリンタによって印刷したり、指定された端末装置にデータを送信したりする。
【００３５】
２．ハードウエア構成
図２に、解析結果報告書作成装置のハードウエア構成を示す。ＣＰＵ３０には、メモリ３２、ディスプレイ３４、プリンタ３６、ハードディスク３８、ＤＶＤ−ＲＯＭドライブ４０、キーボード／マウス４２、通信回路４４が接続されている。通信回路４４は、院内ＬＡＮ５４に接続するためのものである。これにより、院内ＬＡＮ５４を介して、ＳＰＥＣＴ装置５６からの医用検査画像を取得することができる。
【００３６】
ハードディスク３８には、オペレーティングシステム４６、解析結果報告書作成プログラム４８、解析結果報告書書式５０などが記録されている。解析結果報告書作成プログラム４８は、オペレーティングシステム４６と協働してその機能を発揮するものである。これらプログラムは、ＤＶＤ−ＲＯＭ５２に記録されていたものを、ＤＶＤ−ＲＯＭドライブ４０を介して、ハードディスク３８にインストールしたものである。
【００３７】
３．解析結果報告書作成プログラム４８の処理
以下では、心筋を対象とした核医学画像を一例として説明するが、これに限定する意図ではない。
【００３８】
図３に、解析結果報告書作成プログラム４８のフローチャートを示す。ＣＰＵ３０は、ＳＰＥＣＴ装置５６から、心筋シンチグラフィ短軸断層画像を取得する（ステップＳ１）。この実施形態では、断層画像はＤＩＣＯＭデータの形式にて取得する。なお、断層画像は、ＳＰＥＣＴ装置５６から直接取得してもよいが、一旦、サーバ装置（図示せず）などに保管したものを取得してもよい。ＣＰＵ３０は、取得した断層画像を、ハードディスク３８に記録する。
【００３９】
図５、図６に、ハードディスク３８に記録された断層画像ＤＩＣＯＭデータの例を示す。図５は、ＤＩＣＯＭヘッダの部分であり、患者情報や検査条件などが記述されている。図６は、画像データの部分であり、断層画像が記録されている。
【００４０】
次に、ＣＰＵ３０は、解析結果報告書に必要な検査情報項目を取得し（ステップＳ２）、これに対応する検査情報を、取り込んだ断層画像のＤＩＣＯＭタグから取得して組み込む（ステップＳ３）。
【００４１】
ＣＰＵ３０は、図７に示すように、断層画像をディスプレイ３４に表示するとともに、画面左に、検査情報項目を表示する。図５のＤＩＣＯＭヘッダにおいて0010,0010のタグが付されたデータは、患者氏名を示している。したがって、これを、図７の患者氏名欄６０に組み込んで表示する。図５のＤＩＣＯＭヘッダにおいて、0010,0020のタグが付されたデータは、患者ＩＤを示している。したがって、これを図７の患者ＩＤ欄６２に組み込んで表示する。以下同様に、0010,1010のタグが付されたデータは患者年齢欄６４に、0010,0040のタグが付されたデータは患者性別欄６６、0008,0020のタグが付されたデータは検査日欄６８に、0008,0030のタグが付されたデータは検査時刻欄７０に、それぞれ組み込んで表示される。
【００４２】
なお、この実施形態では、負荷心筋シンチグラフィ、安静心筋シンチグラフィの２つの断層画像を１つのＤＩＣＯＭデータとしているので、図７において、負荷心筋シンチグラフィのData1と、安静心筋シンチグラフィのData2の２つのデータセットが含まれている。この例では、負荷先行１日法によって検査を行っているので、Data1、Data2の検査日は同じである。
【００４３】
次に、操作者の指示に応じて、ＣＰＵ３０は、断層画像に基づいて左心室の輪郭を抽出する（ステップＳ４）。この輪郭抽出は、従来から知られている手法を用いることができる。たとえば、断層画像によって形成した立体画像上で所定の値以上の領域を取り出し、その領域の中心点を定める。この中心点から、経度、緯度の各放射方向に所定角度ずつの放射ラインを想定する。この各放射ラインにおける計測値において、最大値の箇所を心筋壁中心点とする。この心筋壁中心点の計測値から６５％低下した外側の点を、心外膜面点とする。これら外膜面点を接続し、心筋表面を推定する。このような処理を行うプログラムとしては、たとえば、Quantitative Perfusion SPECT(QPS)等を用いることができる。
【００４４】
次に、ＣＰＵ３０は、ステップＳ３においてデータが組み込まれなかったData1およびData2の検査種別（Name）７２、薬剤種別（RIName）７４について、操作者の入力を受け付ける（ステップＳ５）。ＣＰＵ３０は、図８に示すように、操作者によりキーボード／マウス４２から入力されたデータを、Data1およびData2の検査種別７２、薬剤種別７４に表示する。なお、これら入力は、ユーザが直接入力するようにしてもよいが、予め複数の検査種別や薬剤種別を記録しておき、プルダウンメニュー等として表示して選択するようにしてもよい。
【００４５】
なお、ＤＩＣＯＭデータの標準タグに定義されていても入力されていないデータもある。この場合にも、操作者が入力を行うようにする。
【００４６】
次に、ＣＰＵ３０は、前記抽出した左心室の輪郭に基づき、Polar Mapを生成し表示する（ステップＳ６）。この例では、Polar Mapを生成しているが、他の表示方法を採用してもよい。Polar Mapは、心筋表面を展開して表示するものであり、その作成方法は従来から知られている手法を用いることができる。
【００４７】
たとえば、上記にて心筋表面を推定した左心室の下縁（心尖部）から上縁（心基部）の各断面画像において、中心からの放射ライン上における最大計測値を抽出する。これにより、左心室の下縁（心尖部）から上縁（心基部）までの各断層画像のそれぞれにおいて、０度から３６０度までの方向の最大計測値群が得られる。この各断層画像における最大計測値群を、図９に示すように、中心側に下縁（心尖部）の断層画像における最大計測値群が来るように、外側に上縁（心基部）の断層画像における最大計測値群が来るように順次配置する。このようにして、Polar Mapを生成する。さらに、ＣＰＵ３０は、これを立体化した３Ｄマップを生成してもよい。このような処理を行うプログラムとしては、たとえば、Quantitative Perfusion SPECT(QPS)等を用いることができる。
【００４８】
ＣＰＵ３０は、図１０に示すように、生成したPolar Mapを表示する。この実施形態では、負荷心筋シンチグラフィ、安静心筋シンチグラフィの２つのデータに対して、それぞれPolar Mapが生成されている。
【００４９】
続いて、ＣＰＵ３０は、断層画像に基づいて評価値（心機能指標など）の算出を行う（ステップＳ７）。たとえば、予め定めた領域ごとに、負荷心筋シンチグラフィ（Data1）の平均測定値と安静心筋シンチグラフィ（Data2）の平均測定値との差を評価値として算出する。図１１に、算出された各領域の差を、Polar Map、３Dマップに表示した例を示す。Polar Map２００が負荷心筋シンチグラフィの領域ごとの測定平均値、Polar Map２０２が安静心筋シンチグラフィの領域ごとの測定平均値、Polar Map２０４が領域ごとの差を示している。
【００５０】
なお、この例では、負荷心筋シンチグラフィ（Data1）の平均測定値と安静心筋シンチグラフィ（Data2）の平均測定値との差を評価値として算出している。しかし、以下のようにしてスコアリングを行った値を評価値として算出するようにしてもよい。
【００５１】
負荷心筋シンチグラフィにおける最大値を１００として測定値を正規化した後、予め定めた領域ごとに正規化された測定値の平均値を算出する。このようにして算出した領域ごとの正規化平均値を、次の基準に従ってスコアリングする。
【００５２】
１００〜７５は０点、７４〜６５は１点、６４〜５５は２点、５４〜４５は３点、４４〜０は４点とする。
【００５３】
ＣＰＵ３０は、以上のようにして算出した評価値を、Polar Mapや３Ｄマップなどに対応付けて、確認のために表示する（ステップＳ８）。なお、確認のための表示は省略してもよい。
【００５４】
続いて、ＣＰＵ３０は、解析結果報告書書式５０を取得する（ステップＳ９）。なお、複数の報告書書式を表示し、操作者に選択させるようにしてもよい。図１３に、書式データの例を示す。図１２に、この書式データに基づく表示例を示す。
【００５５】
図１３において、書式は、予め用意されている解析結果報告書の書式を特定するための符号である。図１３では、Type-1が選択されている。
【００５６】
項目の欄は、当該書式Type-1の各項目を識別するための符号である。氏名、ＩＤ、年齢、性別、検査日、プロトコール、負荷法、トレーサー（薬剤種別）、投与量は、解析結果報告書の項目（検査情報項目）である。A-1、A-2は、図１２の書式に示す、画像を挿入する領域を識別する符号である。
【００５７】
対応項目の欄には、ＤＩＣＯＭデータの対応する項目名もしくはＤＩＣＯＭデータから取得したデータの対応する項目名が記述されている。図１３の例では、図８の検査情報項目名が記述されている。また、画像については、組み込むべき画像の種類などが記述されている。
【００５８】
内容の欄は、項目に対応する内容データを記述するための欄である。ここでは、まだ、何も記述されていない。
【００５９】
ＣＰＵ３０は、この解析結果報告書書式５０に基づいて、該当する欄に、解析結果画像や検査情報を組み込む（ステップＳ１０）。組み込まれた状態を、図１４に示す。この図に示すように、プロトコール欄９０、負荷法欄９２、投与量欄９４は、データが無く空欄となっている。他の欄は、ステップＳ３、Ｓ５のデータに基づいて組み込みが行われている。
【００６０】
次に、ＣＰＵ３０は、空欄となっているプロトコール欄９０、負荷法欄９２、投与量欄９４に対するデータの入力を受け付ける。操作者が、キーボード／マウス４２を操作して、プロトコール入力欄１００、負荷法入力欄１０２、投与量入力欄１０４にデータを入力すると、図１４に示すように、ＣＰＵ３０は、これをプロトコール欄９０、負荷法欄９２、投与量欄９４に組み込んで表示する（ステップＳ１１）。なお、上記入力欄は、空欄となっている表示欄に対応付けて、ＣＰＵ３０がその都度生成してもよいし、予め用意しておいてもよい。また、空欄となっているプロトコール欄９０、負荷法欄９２、投与量欄９４に、データを入力するようにしてもよい。
【００６１】
上記の欄９０、９２、９４、１００、１０２、１０４等への入力において、操作者がデータを直接入力するようにしてもよいが、各欄に対して予め用意しているデータをプルダウンメニューなどで表示して、操作者に選択させるようにしてもよい。
【００６２】
なお、この例では、負荷先行１日法を実施しているので、Data1とData2の検査日は同一であるから、報告書には検査日を一つだけ表示するようにしている（Data1またはData2の一方のみ）。しかし、同じ検査日であることを明示するために、双方を表示するようにしてもよい。
【００６３】
また、Data1とData2の検査日が異なる場合には、Data1の検査日とData2の検査日の双方を表示するようにすることが好ましい。この場合でも、表示の煩雑さを避けるため、いずれか一方の検査日のみを表示するようにしてもよい。
【００６４】
さらに、ＣＰＵ３０がData1とData2の検査日が同一かどうかを判断し、同一であれば検査日を一つだけ表示し、異なれば双方を表示するようにしてもよい。
【００６５】
この例では、図１４に示すように、トレーサ（薬剤）や投与量は同一であるものとして入力を行って、報告書に表示するようにしている。しかし、Data1とData2についてそれぞれ、薬剤や投与量を入力し、報告書に表示するようにしてもよい。あるいは、ＣＰＵ３０がData1とData2の薬剤や投与量が同一かどうかを判断し、同一であれば上記実施形態と同じ処理を行い、異なればData1、Data2のそれぞれについて入力欄を設け、表示するようにしてもよい。
【００６６】
ＣＰＵ３０は、図１５の表示に対応する解析結果報告書データをハードディスク３８に記録する。図１６に、解析結果報告書データの例を示す。
【００６７】
続いて、ＣＰＵ３０は、解析結果報告書を出力する（ステップＳ１２）。たとえば、プリンタ３６により印刷する。また、通信回路４４を介して、所定の端末装置に、解析結果報告書データを送信するようにしてもよい。
【００６８】
４．その他の実施形態
(1)上記実施形態では、ＤＩＣＯＭヘッダの標準規格に基づくタグにしたがって、患者氏名などの検査情報を組み込むようにしている。しかし、プライベートタグを定義し、これに基づいて他の検査情報（たとえば、プロトコールなど）も、自動的に組み込むようにしてもよい。
【００６９】
(2)上記実施形態では、ＤＩＣＯＭヘッダから組み込めなかった検査情報については、操作者が入力を行うようにしている。しかし、電子カルテなど他のＤＢなどから検査情報を取得して、自動的に組み込むようにしてもよい。
【００７０】
(3)上記実施形態では、院内ＬＡＮを介して、ＤＩＣＯＭデータを取得している。しかし、インターネットを介して取り込んでもよいし、ＤＶＤ−ＲＯＭなどの記録媒体に記録したものを取り込むようにしてもよい。
【００７１】
(4)上記実施形態では、操作者が解析結果報告書作成装置を操作するようにしている。しかし、図１７に示すように、解析結果報告書作成装置１をサーバ装置として構築してもよい。端末装置１８から、インターネットや院内ＬＡＮを介して、解析結果報告書作成装置１にＤＩＣＯＭデータを送信し、これを受けた解析結果報告書作成装置１の出力手段１６が、解析結果報告書データを端末装置１８に送信する。
【００７２】
なお、この際、ステップＳ９における報告書書式の選択や、ステップＳ５、Ｓ１１における入力は、端末装置１８から行うことになる。
【００７３】
(5)上記実施形態では、心筋シンチグラフィの画像を例として説明したが、脳画像、骨、肝臓、肺、甲状腺など核医学検査のＤＩＣＯＭデータおよびその他のヘッダのある医用画像データによるものについても同様に適用することができる。
【００７４】
(6)上記実施形態では、ＳＰＥＣＴの画像を用いているが、ＰＥＴ、ＭＲＩ、ＣＴ等の画像を用いるようにしてもよい。
【００７５】
(7)上記実施形態では、Polar Mapおよび３Ｄマップを報告用画像として生成している。しかし、いずれか一方のみを生成して表示するようにしてもよい。また、ＤＩＣＯＭ画像自体をそのまま報告用画像としてもよい。あるいは、報告書に画像を表示しないようにしてもよい。
【００７６】
(8)上記実施形態では、ＤＩＣＯＭデータを例として説明したが、ヘッダ情報等として検査情報が記述されている形式のデータであれば、本発明を適用することができる。
【図１】
0006765795.tif 000002
【図２】
0006765795.tif 000003
【図３】
0006765795.tif 000004
【図４】
0006765795.tif 000005
【図５】
0006765795.tif 000006
【図６】
0006765795.tif 000007
【図７】
0006765795.tif 000008
【図８】
0006765795.tif 000009
【図９】
0006765795.tif 000010
【図１０】
0006765795.tif 000011
【図１１】
0006765795.tif 000012
【図１２】
0006765795.tif 000013
【図１３】
0006765795.tif 000014
【図１４】
0006765795.tif 000015
【図１５】
0006765795.tif 000016
【図１６】
0006765795.tif 000017
【図１７】
0006765795.tif 000018